(57)【特許請求の範囲】
【請求項１】
取付け面からの角度を調整することができる可動部Ａと、前記可動部Ａを動かす可動手段と、取付け面からの調整角度を判断する角度判断手段と、前記角度判断手段により決められた角度へリモコン全体もしくは一部の角度を調整する角度判断手段とを備えた壁置き型のリモコンであって、前記角度判断手段による角度調整を停止する、または動作することを切り替えることができる動調整切換え手段を備えたことを特徴とするリモコン。
【請求項２】
角度判断手段はリモコンが傾いても傾かない箇所に配することを特徴とする請求項１記載のリモコン。
【請求項３】
角度判断手段は少なくとも２つの人感センサであることを特徴とする請求項１または２記載のリモコン。
【請求項４】
人感センサは可動部Ｂを備え、前記人感センサの検知角度を変更できることを特徴とする請求項３記載のリモコン。
【請求項５】
角度判断手段は音声認識手段であることを特徴とする請求項１または２記載のリモコン。
【請求項６】
角度判断手段は角度調整リモコンからの信号であり、さらに前記角度調整リモコンからの信号を受信する受信部を備えたことを特徴とする請求項１または２記載のリモコン。
【請求項７】
角度判断手段は請求項３〜６記載の角度判断手段を複数組み合わせたものであることを特徴とする請求項１または２記載のリモコン。
【請求項８】
可動部Ａはリモコン下部に配置することを特徴とする請求項１〜７いずれか一つに記載のリモコン。
【請求項９】
可動部Ａはリモコン上部に配置することを特徴とする請求項１〜７いずれか一つに記載のリモコン。
【発明の詳細な説明】
【技術分野】
【０００１】
本発明は、壁等に取り付けられるリモコンであって表示部を備えたものに関する。
【背景技術】
【０００２】
従来、この種のリモコンは角度を調整して設置するものが知られている（例えば、特許文献１参照）。
【０００３】
以下、そのリモコンについて図１１を参照にしながら説明する。
【０００４】
図に示すように、リモコン１０１は液晶表示装置１０２と前記液晶表示装置の支持部材１０３と基板１０４からなり、リモコンの設置以前にリモコンの表示部分は法線下向きに設置される。
【特許文献１】特開２００１−２９６０４８号公報
【発明の開示】
【発明が解決しようとする課題】
【０００５】
このような従来のリモコンでは、一度設置するとリモコンの角度を変更することが困難という課題があった。
【０００６】
また、背の高い人と老人のように背の低い人とが共住する時、個々人によってリモコン表示部の見易い角度が異なるため、見易い角度を確定することが困難という課題があった。
【０００７】
本発明は、このような従来の課題を解決するものであり、リモコンの表示部の角度を容易に変更することができ、また自動で見易い角度へ調整することができるリモコンを提供することを目的としている。
【課題を解決するための手段】
【０００８】
本発明のリモコンは上記目的を達成するために、取付け面からの角度を調整することができる可動部Ａ と、前記可動部Ａを動かす可動手段と、取付け面からの調整角度を判断する角度判断手段と、前記角度判断手段により決められた角度へリモコン全体もしくは一部の角度を調整する角度判断手段とを備えた壁置き型のリモコンであって、前記角度判断手段による角度調整を停止する、または動作することを切り替えることができる角度調整切換え手段を備えたものである。
【０００９】
この手段によりリモコン表示部の角度調整の動作の有無を使用者が決めることができ、必要なときにだけ、リモコン設置後にリモコン表示部の角度を変更することができ、自動でリモコン表示部が見易い角度へ調整することができるリモコンが得られる。
【００１２】
また、本発明のリモコンは上記目的を達成するために、角度判断手段はリモコンが傾いても傾かない箇所に配するものである。
【００１３】
この手段によりリモコンの傾きに依らず角度判定手段は常に一定の判定をすることができ、リモコン表示部の角度を見易い角度へ調整することができるリモコンが得られる。
【００１４】
また、本発明のリモコンは上記目的を達成するために、角度判断手段は少なくとも２つの人感センサであるものである。
【００１５】
この手段により人感センサが認識する個数により使用者の背の高さを判断することができ、自動で使用者の見易い角度へ調整することができるリモコンが得られる。
【００１６】
また、本発明のリモコンは上記目的を達成するために、人感センサは可動部Ｂを備え、前記人感センサの検知角度を変更できるものである。
【００１７】
この手段により使用者が人感センサの検知角度を変更でき、リモコン表示部の角度を見易い角度へ容易に変更することができるリモコンが得られる。
【００１８】
また、本発明のリモコンは上記目的を達成するために、角度判断手段は音声認識手段であるものである。
【００１９】
この手段により音声により使用者が角度を調整することができ、リモコンの表示部の角度を容易に変更することができるリモコンが得られる。
【００２０】
また、本発明のリモコンは上記目的を達成するために、角度判断手段は角度調整リモコンからの信号であり、さらに前記角度調整リモコンからの信号を受信する受信部を備えたものである。
【００２１】
この手段により角度調整リモコンを用いてリモコン表示部の角度を変更することができ、使用者が容易に見易い角度へ調整することができるリモコンを得られる。
【００２２】
また、本発明のリモコンは上記目的を達成するために、角度判断手段は前記角度判断手段を複数組み合わせたものである。
【００２３】
この手段により使用者が角度判断手段を選択することができ、容易にリモコンの表示部の角度を調整することができるリモコンが得られる。
【００２４】
また、本発明のリモコンは上記目的を達成するために、可動部Ａはリモコン下部に配置するものである。
【００２５】
この手段によりリモコン全体を下向きに稼動することができ、使用者の見易い角度へリモコンの表示部を調整することができるリモコンが得られる。
【００２６】
また、本発明のリモコンは上記目的を達成するために、可動部Ａはリモコン上部に配置するものである。
【００２７】
この手段によりリモコン全体を上向きに稼動することができ、使用者の見易い角度へリモコンの表示部を調整することができるリモコンが得られる。
【発明の効果】
【００３２】
本発明によれば、取付け面からの角度を調整することができる可動部Ａ と、前記可動部Ａを動かす可動手段と、取付け面からの調整角度を判断する角度判断手段と、前記角度判断手段により決められた角度へリモコン全体もしくは一部の角度を調整する角度判断手段とを備えた壁置き型のリモコンであって、前記角度判断手段による角度調整を停止する、または動作することを切り替えることができる角度調整切換え手段を備えたものであり、角度調節切換え手段によりリモコン表示部の角度調整の動作の有無を使用者が決めることができ、リモコン設置後に必要なときにだけ角度判断手段により決められた角度へ稼動手段を用いてリモコン全体もしくは一部の角度を調整することにより、リモコン表示部の角度を変更することができ、自動でリモコン表示部が使用者の見易い角度へ調整することができるという効果のあるリモコンを提供できる。
【００３４】
また、角度判断手段はリモコンが傾いても傾かない箇所に配することにより、リモコンの傾きに依らず角度判定手段は常に一定の判定をすることができ、リモコン表示部の角度を見易い角度へ調整することができるという効果のあるリモコン提供できる。
【００３５】
また、角度判断手段は少なくとも２つの人感センサであることにより、人感センサが認識する個数により使用者の背の高さを判断することができ、自動で使用者の見易い角度へ調整することができるという効果のあるリモコンを提供できる。
【００３６】
また、人感センサは可動部Ｂを備え、前記人感センサの検知角度を変更できるものであることにより、使用者が人感センサの検知角度を変更でき、リモコン表示部の角度を見易い角度へ容易に変更することができるという効果のあるリモコンを提供できる。
【００３７】
また、角度判断手段は音声認識手段であるものであることにより、音声により使用者が角度を調整することができ、リモコンの表示部の角度を容易に変更することができるという効果のあるリモコンを提供できる。
【００３８】
また、角度判断手段は角度調整リモコンからの信号であり、さらに前記角度調整リモコンからの信号を受信する受信部を備えたものであることにより、角度調整リモコンを用いてリモコン表示部の角度を変更することができ、使用者が容易に見易い角度へ調整することができるという効果のあるリモコンを提供できる。
【００３９】
また、角度判断手段は前記角度判断手段を複数組み合わせたものであることにより、使用者が角度判断手段を選択することができ、容易にリモコンの表示部の角度を調整することができるという効果のあるリモコンを提供できる。
【００４０】
また、可動部Ａはリモコン下部に配置するものであることにより、リモコン全体を下向きに稼動することができ、使用者の見易い角度へリモコンの表示部を調整することができるという効果のあるリモコンを提供できる。
【００４１】
また、可動部Ａはリモコン上部に配置するものであることにより、リモコン全体を上向きに稼動することができ、使用者の見易い角度へリモコンの表示部を調整することができるという効果のあるリモコンを提供できる。
【発明を実施するための最良の形態】
【００４４】
本発明の請求項１記載の発明は、取付け面からの角度を調整することができる可動部Ａ と、前記可動部Ａを動かす可動手段と、取付け面からの調整角度を判断する角度判断手段と、前記角度判断手段により決められた角度へリモコン全体もしくは一部の角度を調整する角度判断手段とを備えた壁置き型のリモコンであって、前記角度判断手段による角度調整を停止する、または動作することを切り替えることができる角度調整切換え手段を備えたものであり、リモコン表示部の角度調整の動作の有無を使用者が決めることができ、リモコン設置後に必要なときにだけリモコン表示部の角度を変更することができ、自動でリモコン表示部が見易い角度へ調整することができるという作用を有する。
【００４６】
また、角度判断手段はリモコンが傾いても傾かない箇所に配するものであり、リモコンの傾きに依らず角度判定手段は常に一定の判定をすることができ、リモコン表示部の角度を見易い角度へ調整することができるという作用を有する。
【００４７】
また、角度判断手段は少なくとも２つの人感センサであり、人感センサが認識する個数により使用者の背の高さを判断することができ、自動で使用者の見易い角度へ調整することができるという作用を有する。
【００４８】
また、人感センサは可動部Ｂを備え、前記人感センサの検知角度を変更できるものであり、使用者が人感センサの検知角度を変更でき、リモコン表示部の角度を見易い角度へ容易に変更することができるという作用を有する。
【００４９】
また、角度判断手段は音声認識手段であるものであり、音声により使用者が角度を調整することができ、リモコンの表示部の角度を容易に変更することができるという作用を有する。
【００５０】
また、角度判断手段は角度調整リモコンからの信号であり、さらに前記角度調整リモコンからの信号を受信する受信部を備えたものであり、角度調整リモコンを用いてリモコン表示部の角度を変更することができ、使用者が容易に見易い角度へ調整することができるという作用を有する。
【００５１】
また、角度判断手段は前記角度判断手段を複数組み合わせたものであり、使用者が角度判断手段を選択することができ、容易にリモコンの表示部の角度を調整することができるという作用を有する。
【００５２】
また、可動部Ａはリモコン下部に配置するものであり、リモコン全体を下向きに稼動することができ、使用者の見易い角度へリモコンの表示部を調整することができるという作用を有する。
【００５３】
また、可動部Ａはリモコン上部に配置するものであり、リモコン全体を上向きに稼動することができ、使用者の見易い角度へリモコンの表示部を調整することができるという作用を有する。
【００５６】
以下、本発明の実施の形態について図面を参照しながら説明する。
【００５７】
（実施の形態１）
図１に示すように、壁取り付け型のリモコン１は表示部２としての表示パネル例えば液晶パネルと、リモコン操作部３と、可動部４例えばヒンジと、前記可動部４を動かし前記表示部２の壁からの角度を変えることができる稼動手段５としてのモータ好ましくはステッピングモータと、角度判断手段としての人感センサ６ａおよび人感センサ６ｂと、前記角度判断手段による角度調整を停止または動作することを切替えることができる角度調整切替え手段７としてのスイッチを備える。
【００５８】
前記人感センサ６ａおよび人感センサ６ｂの検知角度をそれぞれＡ度例えば２０度、Ｂ度例えば２５度とし、図２に示すように表示部２の角度変更による影響を受けない箇所に人感センサ６ａおよび人感センサ６ｂをそれぞれの検知範囲が一致しないように配する。
【００５９】
次に人感センサ６ａ、６ｂの検知による表示部２の角度変更の流れを、図３を参照しながら説明する。図に示すように人Ａが近くに来て、人感センサ６ｂが検知すると、次に人感センサ６ａが働き人感センサ６ａが検知しなければ、人Ａは背の低い人であると判断し、稼動手段５としてのモータにより指定角Ｂ例えば２０度へ壁からの表示部２の角度を変更する。
【００６０】
上記構成において、人感センサ６ａおよび人感センサ６ｂの検知の有無により、表示部２の壁からの角度を指定角Ａ例えば０度または指定角Ｂへ、稼動手段５としてのモータにより自動で、容易に変更することができる。また、角度調整切替え手段７をＯＮにすると、図３のように角度を調整するが、ＯＦＦにすると角度判断手段は角度の変更を行わないことより、角度調整が不必要の際は角度調整を停止することができる。
【００６１】
なお。実施の形態１では角度判断手段として人感センサ６ａ、６ｂを用いたが、人感センサに変えて赤外線センサを用いてもよく、その作用効果に差異は生じない。
【００６２】
なお、図１に示すように表示部２の下側に可動部４を配したが、表示部２としての表示パネル自体を稼動できるように図４のように可動部４を配してもよく、その作用効果に差異を生じない。
【００６３】
なお、人感センサ６ａ、６ｂの検知による表示部２の角度変更の流れが図３ではなく、図５または図６のような流れであってもよく、その作用効果に差異を生じない。
【００６４】
（実施の形態２）
図７に示すように、壁取り付け型のリモコン８は表示部９としての発光体例えばＬＥＤと、リモコン操作部１０としての操作ボタンと、可動部１１例えばヒンジと、前記可動部を動かしリモコン８の壁からの角度を変えることができる稼動手段１２としてのモータ好ましくはステッピングモータと、角度判断手段１３としての音声認識手段例えば集音マイク＋音声認識ＩＣを備える。
【００６５】
次に音声認識からリモコン８の壁からの角度変更までの流れを、図８を参照しながら説明する。音声認識手段が感知する単語Ａ例えば「ウエ」と、単語Ｂ例えば「シタ」とする。図に示すように、音声認識手段が「ウエ」と認識するとあらかじめ設定されたステップ角度Ｃ例えば５度だけ、稼動手段１２としてのステッピングモータにより壁からの角度を小さくする。また音声認識手段が「シタ」と認識すると前記ステップ角度Ｃだけ、稼動手段１２としてのステッピングモータにより壁からの角度を大きくする。
【００６６】
上記構成において、リモコン８は音声により壁からの角度を容易に変更することができる。
【００６７】
なお、実施の形態２では可動部をリモコン８の下側に配したが、リモコンの上側に配してもよく、その作用効果に差異を生じない。
【００６８】
（実施の形態３）
図９に示すように壁取付け型のリモコン１４は表示部１５としての表示パネル例えば液晶パネルと、リモコン操作部１６と、可動部１７例えばヒンジと、前記可動部を動かし前記表示部１５の壁からの角度を変えることができる稼動手段１８としてのモータ好ましくはステッピングモータと、角度調整リモコン１９からの信号を受信する受信部２０を備えている。また、角度調整リモコン１９は角度調整ボタン２１を備えている。
【００６９】
次に角度調整リモコン１９からリモコン１４の壁からの角度変更までの流れを説明する。角度調整リモコン１９から壁からの角度を小さくするような信号を受信部２０が受信すると、あらかじめ設定されたステップ角度Ｄ例えば２度だけ、稼動手段１８としてのステッピングモータにより壁からの角度を小さくする。また、壁からの角度を大きくするような信号を受信部２０が受信すると、ステップ角度Ｄだけ稼動手段１８により壁からの角度を大きくする。
【００７０】
なお、実施の形態３ではリモコン１４と角度調整リモコン１９はワイヤレス接続しているが、ワイヤード接続であってもよく、その作用効果に差異を生じない。
【００７１】
（実施の形態４）
図１０は実施の形態１において、角度判断手段としての人感センサ６ａおよび人感センサ６ｂと、角度判断手段１３としての音声認識手段例えば集音マイク＋音声認識ＩＣと、人感センサ６ａおよび人感センサ６ｂと角度判断手段１３を切替えることができる角度判断切替手段２３を備える。人感センサ６ａおよび人感センサ６ｂはそれぞれが稼動できるように可動部２２ａおよび可動部２２ｂを配している。
【００７２】
角度判断切替手段２３は人感センサ６ａおよび人感センサ６ｂで角度を変更する場合と、角度判断手段１３でのみ角度を変更する場合と、人感センサ６ａおよび人感センサ６ｂによる角度変更よりも角度判断手段１３を優先する場合を切替える事ができるものである。
【００７３】
上記構成により、角度判断手段を使用者が選ぶことができ、さらに可動部２２ａおよび可動部２２ｂを稼動させることにより人感センサ６ａおよび人感センサ６ｂの検知角度を変更することができることにより、より使用者に合った角度へ変更することが可能となる。
【産業上の利用可能性】
【００７４】
壁取り付け型のリモコンにおいて、リモコンの表示部またはリモコン全体を、角度判断手段により決められた取り付け壁からの角度へ傾けることができることより、背の高い人と低い人とが一緒に使用する壁取り付け型のリモコンに利用できる。
【図面の簡単な説明】
【００７５】
【図１】本発明の実施の形態１のリモコンの構成図
【図２】同角度判断手段の配置図
【図３】同角度判断手段によるリモコンの壁からの角度変更までのフローチャート
【図４】同リモコンの可動部の配置図
【図５】同角度判断手段によるリモコンの壁からの角度変更までのフローチャート
【図６】同角度判断手段によるリモコンの壁からの角度変更までのフローチャート
【図７】本発明の実施の形態２のリモコンの構成図
【図８】同角度判断手段によるリモコンの壁からの角度変更までのフローチャート
【図９】本発明の実施の形態３のリモコンの構成図
【図１０】本発明の実施の形態４のリモコンの構成図
【図１１】従来のリモコンの設置構成図
【符号の説明】
【００７６】
１        リモコン
２        表示部
３        リモコン操作部
４        可動部
５        稼動手段
６ａ      人感センサ
６ｂ      人感センサ
７        角度調整切替え手段
８        リモコン
９        表示部
１０      リモコン操作部
１１      可動部
１２      稼動手段
１３      角度判断手段
１４      リモコン
１５      表示部
１６      リモコン操作部
１７      可動部
１８      稼動手段
１９      角度調整リモコン
２０      受信部
２１      角度調整ボタン
２２ａ    可動部
２２ｂ    可動部
２３      角度判断切替手段
【図１】
0004552814.tif 000002
【図２】
0004552814.tif 000003
【図３】
0004552814.tif 000004
【図４】
0004552814.tif 000005
【図５】
0004552814.tif 000006
【図６】
0004552814.tif 000007
【図７】
0004552814.tif 000008
【図８】
0004552814.tif 000009
【図９】
0004552814.tif 000010
【図１０】
0004552814.tif 000011
【図１１】
0004552814.tif 000012